(57)【要約】      （修正有）【課題】ＬＥＤレンズの取付けを容易にし、取付け作業の簡素化を図ったＬＥＤレンズの取付構造を提供する。【解決手段】ＬＥＤレンズの取付構造は、開口部２ａを有するアッパケース２と、アッパケース２の内部に支持され、複数のＬＥＤ７が取り付けられた制御基板５と、アッパケース２の開口部２ａの外縁に設けられた取付部９に取り付けられるＬＥＤレンズ８と、を備え、取付部９は、開口部２ａの外縁に沿って並設された複数の遮蔽板１０と、複数の遮蔽板１０上で外縁に沿って連設された軸受部１１とを有し、ＬＥＤレンズ８は、複数のＬＥＤ７の光を各別に導光する複数の導光片８ａと、複数の導光片８ａを連結する連結部８ｃと、軸受部１１に軸支される軸部８ｂであって連結部８ｃとの間で複数の遮蔽板１０と干渉しない囲い込み部を形成するように連結部８ｃに接続された軸部８ｂとを有する。【選択図】図３
2019176027.tif 000002
【特許請求の範囲】
【請求項１】
開口部を有するアッパケースと、
前記アッパケースの内部に支持され、複数のＬＥＤが取り付けられた制御基板と、
前記アッパケースの前記開口部の外縁に設けられた取付部に取り付けられるＬＥＤレンズと、を備え、
前記取付部は、前記開口部の外縁に沿って並設された複数の遮蔽板と、前記複数の遮蔽板上で前記外縁に沿って連設された軸受部とを有し、
前記ＬＥＤレンズは、前記複数のＬＥＤの光を各別に導光する複数の導光片と、前記複数の導光片を連結する連結部と、前記軸受部に軸支される軸部であって前記連結部との間で前記複数の遮蔽板と干渉しない囲い込み部を形成するように前記連結部に接続された前記軸部とを有する、ことを特徴とするＬＥＤレンズの取付構造。
【請求項２】
前記ＬＥＤレンズは、その両端に、前記取付部に取り付けられたときに両端の遮蔽板を覆うように係合する一対の係合部を有することを特徴とする請求項１に記載のＬＥＤレンズの取付構造。
【請求項３】
前記ＬＥＤレンズは、前記複数の導光片の第１端において前記複数のＬＥＤの光が入射し、前記第１端より離間した位置において前記複数の導光片が前記連結部によって連結されることを特徴とする請求項１又は２に記載のＬＥＤレンズの取付構造。
【発明の詳細な説明】
【技術分野】
【０００１】
本発明は、ＬＥＤを有する電子機器において、その筐体に取り付けるＬＥＤレンズの取付構造に関する。
【背景技術】
【０００２】
通常、電子機器やネットワーク機器は、電源がＯＮ状態かＯＦＦ状態なのか、機器内の機能が有効に働いているかなどについて、ＬＥＤの照明の状態（点灯、点滅、消滅等）や、あるいは色の差異（赤点灯や青点灯等）によってユーザに認識できるようになっている。
【０００３】
これらのＬＥＤの照明は直接ＬＥＤを筐体から露呈するのではなく、基板上に搭載されたＬＥＤから発光された光をＬＥＤレンズによって導光させて外部に向かって照明させることが多い。そして、複数のＬＥＤの光を外部に露光させる際には、各々のＬＥＤに対応した複数の導光部を一体に形成した一つのＬＥＤレンズによって行うことが知られている（例えば、特許文献１参照）。
【０００４】
特許文献１は、電子機器のロアケースの高さ方向の中ほどにＬＥＤの個数分形成されたレンズ孔と、各々のＬＥＤからの光が漏れないように形成された光遮蔽片と、各々の光遮蔽片の上方に設けられた溝と、複数の導光部が連結部によって連結されたＬＥＤレンズとを備え、連結部を溝に係入するＬＥＤレンズの取付構造を開示している。
【０００５】
しかしながら、特許文献１では、レンズ孔にＬＥＤレンズのレンズ部を嵌合し、ＬＥＤレンズの連結部を全ての光遮蔽片に形成されている溝に嵌めなければならないため、ＬＥＤレンズを取り付ける際の作業性が煩雑となるという問題があった。
【先行技術文献】
【特許文献】
【０００６】
【特許文献１】特開２０１２−２３０９９８号公報
【発明の概要】
【発明が解決しようとする課題】
【０００７】
本発明は、かかる課題に鑑みなされたものであり、ＬＥＤレンズの取付けを容易にし、取付け作業の簡素化を図ったＬＥＤレンズの取付構造を提供することを目的とする。
【課題を解決するための手段】
【０００８】
上記した課題を解決するために、本発明は、以下の態様によって把握される。
（１）本発明に係る態様は、開口部を有するアッパケースと、前記アッパケースの内部に支持され、複数のＬＥＤが取り付けられた制御基板と、前記アッパケースの前記開口部の外縁に設けられた取付部に取り付けられるＬＥＤレンズと、を備え、前記取付部は、前記開口部の外縁に沿って並設された複数の遮蔽板と、前記複数の遮蔽板上で前記外縁に沿って連設された軸受部とを有し、前記ＬＥＤレンズは、前記複数のＬＥＤの光を各別に導光する複数の導光片と、前記複数の導光片を連結する連結部と、前記軸受部に軸支される軸部であって前記連結部との間で前記複数の遮蔽板と干渉しない囲い込み部を形成するように前記連結部に接続された前記軸部とを有する、ことを特徴とする。
【０００９】
（２）上記（１）に記載の構成において、前記ＬＥＤレンズは、その両端に、前記取付部に取り付けられたときに両端の遮蔽板を覆うように係合する一対の係合部を有する。
【００１０】
（３）上記（１）又は（２）に記載の構成において、前記ＬＥＤレンズは、前記複数の導光片の第１端において前記複数のＬＥＤの光が入射し、前記第１端より離間した位置において前記複数の導光片が前記連結部によって連結される。
【発明の効果】
【００１１】
本発明によれば、ＬＥＤレンズの取付けを容易にし、取付け作業の簡素化を図ったＬＥＤレンズの取付構造を提供することができる。
【図面の簡単な説明】
【００１２】
【図１】本発明の実施形態に係る電子機器の斜視図を示す。
【図２】図１の電子機器の六面図であって、（ａ）は底面図を、（ｂ）は背面図を、（ｃ）は上面図を、（ｄ）は正面図を、（ｅ）は左側面図を、（ｆ）は右側面図を、それぞれ示す。
【図３】電子機器の裏面を示す分解斜視図であって、アッパケースと、ベース部材と、ＬＥＤレンズを分解して示す。
【図４】ＬＥＤレンズであって、（ａ）は正面図を、（ｂ）は上面図を、（ｃ）は背面図を、（ｄ）は底面図を、それぞれ示す。
【図５】電子機器の裏面を開放した状態で示す底面図であって、ＬＥＤレンズを取り付けた状態を示す。
【図６】図５におけるＡ−Ａ線断面図である。
【図７】電子機器に取り付けるロッキングプレートの斜視図を示す。
【発明を実施するための形態】
【００１３】
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００１４】
（電子機器）
まず、本実施形態に係る電子機器の全体構成について、図１及び図２を参照して説明する。図１は電子機器の斜視図を示している。図２は、電子機器の六面図であって、図２（ａ）は底面図を、図２（ｂ）は背面図を、図２（ｃ）は上面図を、図２（ｄ）は正面図を、図２（ｅ）は左側面図を、図２（ｆ）は右側面図を、それぞれ示す。電子機器は、例えばネットワークを構成する各種電子機器（例えば、ルータ）であるが、特定の用途に用いられるものに限られない。
【００１５】
電子機器は、図１に示すように、筐体１の内部に各種の電子部材を収容して構成されている。筐体１は、アッパケース２と、アッパケース２の底面２Ａの開口部２ａ（図３参照）を覆うベース部材３とから構成される。筐体１の詳細は図２に示すとおりであり、筐体１の正面２Ｃ（図２（ｄ））には、電子機器の動作状態を示す表示部２Ｃ１（ここでは、「DISK」、「INFO」、「STATUS」、「POWER」の表示を行う例を示す）が設けられている。背面２Ｂ（図２（ｂ））には、電源スイッチ２Ｂ１、ＬＡＮ端子２Ｂ２、ＵＳＢ端子２Ｂ３などが設けられるとともに、ロッキングプレート６を介してアッパケース２とベース部材３とを施錠具（不図示）で施錠するための嵌合穴２ｃが設けられている。なお、施錠具は、施錠部がＴ字片のシャフトに形成されたワイヤ錠が好適に用いられる。
【００１６】
アッパケース２の底面２Ａ（図２（ａ））の開口部２ａは、筐体１の内部に搭載される記憶装置（例えば、ＳＳＤ）を取り付けたり、取り外したりすることを可能にするため、ベース部材３によって取り外し可能に覆われている。ベース部材３の四隅には、脚部１３が設けられている。ベース部材３は、前述のとおり、ロッキングプレート６を介して、アッパケース２とともに施錠具によって施錠されるが、ロッキングプレート６の取り付けについては、後述する。
【００１７】
（筐体の内部構造）
図３を参照して、筐体１の内部構造について、説明する。図３は、筐体１を裏面から見た分解斜視図を示している。図３では、アッパケース２の底面２Ａに対してほぼ全体的に対応する空間を開口部２ａとし、その開口部２ａをベース部材３で覆った例を示しているが、開口部２ａ及びベース部材３は、底面２Ａに対して部分的に設けるようにしても差し支えない。なお、図３では、開口部２ａを表現するため、符号を「２a」としている。
【００１８】
アッパケース２の内部には、各種の電子部品が実装された制御基板５が取り付けられており、制御基板５には、アッパケース２の正面２Ｃ側の内壁２ｂに近接して、電子機器の電源やネットワークの状態を表示するための複数のＬＥＤ７が搭載されている。これら複数のＬＥＤ７から発光された光は、前述した表示部２Ｃ１を介して、外部から認識される。
【００１９】
アッパケース２の内壁２ｂの開口部２ａの外縁（通常使用時には電子機器の下端近傍となる）には、複数のＬＥＤ７から発光された光を外部に導光するためのＬＥＤレンズ８を取り付けられるための取付部９が形成されている。取付部９は、開口部２ａの外縁に沿って並設された複数の遮蔽板１０（ここでは、６個の例を図示）と、複数の遮蔽板１０上で外縁に沿って連設され断面視が凹状の軸受部１１とを有する。以下では、両端の遮蔽板１０のうち、図中左側のものを遮蔽板１０ａ、図中右側のものを遮蔽板１０ｂという。複数の遮蔽板１０同士の間には、間隙１０ｄが形成されている。
【００２０】
ＬＥＤレンズ８は、複数の導光片８ａ（ここでは、６個の例を図示）が並設するように一体的に形成されており、軸受部１１に軸支される軸部８ｂと、複数の導光片８ａを連結する連結部８ｃと、軸部８ｂと連結部８ｃを繋ぐ複数の支持部８ｅ（ここでは、５個の例を図示）を有する。さらに、ＬＥＤレンズ８の両端には、遮蔽板１０ａ、遮蔽板１０ｂのそれぞれを覆うように係合する図中左側の係合部８ｄ１、図中右側の係合部８ｄ２が形成されている。
【００２１】
（ＬＥＤレンズ）
ここで、図４を用いて、ＬＥＤレンズ８についてさらに詳しく説明する。図４（ａ）はＬＥＤレンズ８の正面図を、図４（ｂ）は同じく上面図を、図４（ｃ）は同じく背面図を、図４（ｄ）は同じく底面図を、それぞれ示している。
【００２２】
ＬＥＤレンズ８において、図４（ａ）に示すように、軸部８ｂ、一対の係合部８ｄ１，８ｄ２、連結部８ｃが環状に接続されることにより外枠構造を構成する。そして、支持部８ｅが軸部８ｂと連結部８ｃを繋ぐことにより、ＬＥＤレンズ８の強度を維持するとともに、支持部８ｅは、後述するように、ＬＥＤレンズ８をアッパケース２の取付部９に取り付ける際の位置決めに資する。
【００２３】
軸部８ｂと連結部８ｃと隣接する２個の支持部８ｅは、それらに囲まれた空間として囲い込み部１２を形成する。同様に、軸部８ｂと連結部８ｃと図中左側の係合部８ｄ１と支持部８ｅは囲い込み部１２ａを、軸部８ｂと連結部８ｃと図中右側の係合部８ｄ２と支持部８ｅは囲い込み部１２ｂを、それぞれ形成する。係合部８ｄ１，８ｄ２は、それぞれの内部が囲い込み部１２ａ，１２ｂから連通する空洞となっている。これら囲い込み部１２，１２ａ，１２ｂは、後述するように、ＬＥＤレンズ８をアッパケース２の取付部９に取り付ける際に、遮蔽板１０，１０ａ，１０ｂを囲い込む。
【００２４】
ＬＥＤ７から発光された光は、導光片８ａの第１端８ａ１（図中下端）から入射し、第２端８ａ２（図中上端）から表示部２Ｃ１を介して外部に照射される。複数の導光片８ａを連結している連結部８ｃは、導光片８ａの図中上部、すなわち、ＬＥＤ７から発光された光が入射する第１端８ａ１から離間した位置、すなわち、光が弱まった位置において形成されている。
【００２５】
なお、図１及び図２（ｄ）で表示部２Ｃ１として４個の表示を例示したのに対し、図３及び図４では６個の導光片８ａを例示しているが、これは、残る２個の導光片８ａは予備的に設けられた例であるという趣旨であり、本実施形態の適用にあたって、これらの数量に限定はない。
【００２６】
（ＬＥＤレンズの取付構造）
以上の構成を用いて、本実施形態に係るＬＥＤレンズ８の取付構造について説明する。まず、ＬＥＤレンズ８を図４（ａ）の状態でアッパケース２の取付部９に対し、次の要領で載置する。すなわち、ＬＥＤレンズ８の囲い込み部１２ａが取付部９の遮蔽板１０ａの位置に、同じく囲い込み部１２ｂが同じく遮蔽板１０ｂの位置に、さらに、同じく複数の支持部８ｅが同じく複数の間隙１０ｄの位置にくるように、ＬＥＤレンズ８の軸部８ｂを取付部９の軸受部１１に載置する。
【００２７】
そして、この状態で、軸部８ｂを中心にＬＥＤレンズ８の導光片８ａをアッパケース２の内側方向にほぼ９０度回転させ、図４（ｂ）の状態にする。このとき、突出している係合部８ｄ１，８ｄ２をツマミとして利用できるので、回転をスムーズに行える。この状態をアッパケース２との関係で図示したものが図５である。図５に示すように、９０度回転させることにより、ＬＥＤレンズ８の係合部８ｄ１，８ｄ２が、その空洞内に取付部９の両端の遮蔽板１０ａ，１０ｂを覆うことによって係合するとともに、ＬＥＤレンズ８の支持部８ｅは、取付部９の間隙１０ｄに嵌め込まれる。回転する際、ＬＥＤレンズ８は、囲い込み部１２，１２ａ，１２ｂによって遮蔽板１０，１０ａ，１０ｂに干渉されることはなく、スムーズに回転する。
【００２８】
この状態の一断面として、図５のＡ−Ａ線断面図を示すと図６のとおりである。図６に示すように、ＬＥＤレンズ８の複数の導光片８ａの第１端８ａ１は、制御基板５上に設けられている各ＬＥＤ７の上部に位置づけられる。また、導光片８ａの第２端８ａ２は、アッパケース２の正面２Ｃに設けられている表示部２Ｃ１の内側に位置付けられる。
【００２９】
このように、軸部８ｂを取付部９の軸受部１１上で回転させるのみでＬＥＤレンズ８を正確な位置に取り付けることができるが、軸受部１１がアッパケース２の開口部２ａの外縁（図中上端）に形成されているため、ＬＥＤレンズ８を取付部９に位置合わせすることが極めて容易である。
【００３０】
また、ＬＥＤレンズ８を軸部８ｂを中心にアッパケース２の内側に回転させることで係合部８ｄ１，８ｄ２が両端の遮蔽板１０ａ，１０ｂに係合するため、筐体１を天地逆にしたり傾けたりしても、ＬＥＤレンズ８はアッパケース２から外れることがない。かつ、外す必要がある場合には、ネジや接着等で固定されているわけではないため、容易に取り外すことができる。
【００３１】
さらに、連結部８ｃを導光片８ａの上部に形成している。すなわち、連結部８ｃをＬＥＤ７から発光された光が弱まった位置に形成しているため、連結部８ｃと遮蔽板１０の間隙１０ｄから照明が漏れることを防止できる。
【００３２】
筐体１のアッパケース２の底面２Ａ（図２（ａ））には、筐体１の内部に搭載される図示しない記憶装置（例えば、ＳＳＤ）を取り付けたり、取り外したりすることを可能にするための開口部２ａが設けられている。ベース部材３は、開口部２ａに取り付けられ、ロッキングプレート６を介して、筐体１とともに施錠具（不図示）によって施錠される。ベース部材３には突起３ｃを有する挿入穴３ｂが、挿入穴３ｂから見て背面２Ｂ側に対向する位置に矩形状の挿入穴３ａが設けられている。
【００３３】
（ロッキングプレート）
ここで、図７を参照してロッキングプレート６について説明する。ロッキングプレート６は、図７に示すように、側面視でコ字状に構成されており、第１面６ａと、第１面６ａと対向する第２面６ｂと、第１面６ａと第２面６ｂを連結する第３面６ｃとから構成されている。ここでは、第１面６ａが短く、第２面６ｂが長く形成されている例を示している。なお、ロッキングプレート６は、一定の強度を有する板金で形成される。
【００３４】
ロッキングプレート６の第１面６ａにはベース部材３の挿入穴３ａの突起３ｃと係合される係合穴６ｄが、第２面６ｂにはアッパケース２の背面２Ｂの嵌合穴２ｃと重なり合う第１施錠穴６ｅ及び第２施錠穴６ｆ（単独の電子機器に施錠するときや、複数の電子機器を段積みして施錠するときなどに応じて、選択的に使用される）が、第３面６ｃにはベース部材３のネジ止めに用いられる第１取付穴６ｈと第２取付穴６ｉが設けられている。
【００３５】
これら第３面６ｃの第１取付穴６ｈと第２取付穴６ｉは、いずれか一方、好ましくは第２面６ｂに近い側の第２取付穴６ｉの１つとしてもよい。また、ベース部材３の挿入穴３ａからロッキングプレート６がアッパケース２の内部に落下しないように、第３面６ｃの幅を部分的に挿入穴３ａの長径よりも長く形成してもよい。図２（ａ）においては、第２取付穴６ｉのみが設けられ、第３面６ｃの幅が部分的に挿入穴３ａの長径よりも長い態様のロッキングプレート６を用いている。
【００３６】
このように構成したロッキングプレート６は、図２（ａ）に示すように、その第１面６ａがベース部材３に設けられている挿入穴３ａに挿入され、第２面６ｂがベース部材３に設けられている挿入穴３ｂに挿入される。そして、締結手段であるネジ４によって、第３面６ｃが第２取付穴６ｉを介してベース部材３にネジ止めされる。
【００３７】
なお、図７では、第１面６ａの先端から内側に延在する傾斜部６ｇをさらに設けた例を示している。傾斜部６ｇは、複数の電子機器を段積みして挿入穴３ａの突起３ｃに係合穴６ｄを係合できないような場合に、挿入穴３ａに引っ掛けることを考慮したものである。
【００３８】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３９】
１…筐体（電子機器）
２…アッパケース、２Ａ…底面、２Ｂ…背面、２Ｃ…正面
２ａ…開口部、２ｂ…内壁、２ｃ…嵌合穴
３…ベース部材
３ａ，３ｂ…挿入穴、３ｃ…突起
４…ネジ
５…制御基板
６…ロッキングプレート、６ａ…第１面、６ｂ…第２面、６ｃ…第３面、６ｄ…係合穴、６ｅ…第１施錠穴、６ｆ…第２施錠穴、６ｇ…傾斜部、６ｈ…第１取付穴、６ｉ…第２取付穴
７…ＬＥＤ
８…ＬＥＤレンズ、８ａ…導光片、８ｂ…軸部、８ｃ…連結部、８ｄ１，８ｄ２…（両端の）係合部、８ｅ…支持部
９…取付部
１０…遮蔽板、１０ａ，１０ｂ…（両端の）遮蔽板、１０ｄ…間隙
１１…軸受部
１２…囲い込み部、１２ａ，１２ｂ…（両端の）囲い込み部
１３…脚部
【図１】
2019176027.tif 000003
【図２】
2019176027.tif 000004
【図３】
2019176027.tif 000005
【図４】
2019176027.tif 000006
【図５】
2019176027.tif 000007
【図６】
2019176027.tif 000008
【図７】
2019176027.tif 000009